(57)【要約】  【課題】  画像形成装置におけるファーストコピー時間の遅延を抑制するとともに、原稿の載置時における操作性の向上を図ることができる原稿搬送装置を提供する。  【解決手段】  原稿Ｍを収容する原稿収容トレイ１１に原稿Ｍが載置されたことを原稿検知センサ１２によって検知する。原稿収容トレイ１１に収容された原稿Ｍはナジャーロール１４によって送り出されるが、原稿検知センサ１２が原稿Ｍの載置を検知することで、原稿収容トレイ１１に載置された原稿Ｍを、原稿持ち上げ機構部１３によってナジャーロール１４に当接させることが可能である。そして、ホールドスイッチ１７は原稿持ち上げ機構部１３を停止状態に設定可能に構成されている。  【選択図】  図１
2005112558.tif 000002
【特許請求の範囲】
【請求項１】
原稿を収容する原稿収容手段と、
前記原稿収容手段に原稿が載置されたことを検知する原稿検知手段と、
前記原稿収容手段に収容された原稿を送り出す原稿送り出し手段と、
前記原稿検知手段が原稿の載置を検知することで、前記原稿収容手段に載置された原稿を前記原稿送り出し手段に当接させることが可能となる原稿持ち上げ手段と、
前記原稿持ち上げ手段を停止状態に設定可能なホールド手段と
を備えたことを特徴とする原稿搬送装置。
【請求項２】
前記原稿持ち上げ手段は、前記ホールド手段による停止状態の設定がなされないこと、または当該設定の解除により、当該原稿収容手段に載置された原稿を前記原稿送り出し手段に当接させることが可能となることを特徴とする請求項１記載の原稿搬送装置。
【請求項３】
原稿を収容する原稿収容手段と、
前記原稿収容手段に収容された原稿を送り出す原稿送り出し手段と、
前記原稿収容手段に原稿が載置されたことを検知して、直ちに、または所定時間の経過後に当該原稿を前記原稿送り出し手段に当接させる原稿持ち上げ手段とを備え、
前記原稿持ち上げ手段は、停止状態に設定することが可能であることを特徴とする原稿搬送装置。
【請求項４】
原稿を収容する原稿収容トレイと、
前記原稿収容トレイに原稿が載置されたことを検知する原稿検知センサと、
前記原稿収容トレイに収容された原稿を送り出す原稿送り出し部と、
前記原稿収容トレイに載置された原稿のうち最上部の原稿が前記原稿送り出し部に当接するまで当該原稿収容トレイを移動させる原稿持ち上げ部と、
前記原稿持ち上げ部の動作を停止状態に設定可能なホールド部とを備え、
前記原稿持ち上げ部は、前記原稿検知センサによる原稿の検知と前記ホールド部による停止状態の非設定とにより当該原稿収容トレイを移動させることを特徴とする原稿搬送装置。
【請求項５】
前記原稿送り出し部に対し原稿の送り出しを指示する送り出し入力部をさらに備え、当該送り出し入力部からの入力により前記ホールド部による停止状態が解除されることを特徴とする請求項４記載の原稿搬送装置。
【請求項６】
前記原稿収容トレイにサイズの異なる原稿が混在して載置されるミックスモードを設定するミックスモード設定部をさらに備え、前記ホールド部は当該ミックスモード設定部によるミックスモードの設定により前記原稿持ち上げ部の動作を停止状態に設定することを特徴とする請求項４記載の原稿搬送装置。
【請求項７】
前記原稿持ち上げ部は、少なくとも前記原稿収容トレイに収容された原稿の送り出し方向先端部を移動させることを特徴とする請求項４記載の原稿搬送装置。
【請求項８】
原稿を収容する原稿収容手段と、
前記原稿収容手段に収容された原稿を送り出す原稿送り出し手段と、
前記原稿収容手段に原稿が載置されたことを検知して当該原稿を前記原稿送り出し手段に当接させる原稿持ち上げ手段と、
前記原稿に記載された画像を読み取る画像読取手段とを備え、
前記原稿持ち上げ手段は、停止状態に設定することが可能であることを特徴とする画像読取装置。
【請求項９】
前記原稿収容手段は複数の異なる大きさの原稿を収容することが可能であり、当該原稿収容手段に異なる大きさの原稿が載置された際に、前記原稿持ち上げ手段は、停止状態に設定されることを特徴とする請求項８記載の画像読取装置。
【発明の詳細な説明】
【技術分野】
【０００１】
本発明は、複写機等の画像形成装置の原稿読取部、さらにはファクシミリやスキャナ等の原稿読取部に搭載される原稿搬送装置等に関し、より詳しくは、載置された原稿を原稿読取部へ一枚ずつ順次供給する原稿搬送装置等に関する。
【背景技術】
【０００２】
従来、この種の原稿搬送装置では、原稿が載置される原稿収容部においては、原稿収容部に原稿が載置されたことが検知されると、原稿収容部に積み重ねられた原稿を送出しロールに当接させるための原稿持ち上げ部材を上昇させ、原稿が送り出しロールに当接する状態となった段階で給紙を開始するものが知られている。また、原稿収容部に原稿が載置された後、給紙開始信号を受信して原稿持ち上げ部材を上昇させ、送り出しロールによって原稿を順次給紙搬送する方式も提案されている。
【０００３】
ここで、原稿搬送装置に関する従来技術として、原稿を収容する収容手段に収容された原稿の先端側を持ち上げ、最上位の原稿が原稿を給紙する呼び出し手段に当接するように構成された原稿持ち上げ手段を備えており、収容手段に原稿がセットされたことが検知されると原稿持ち上げ手段を上昇させる第１の動作モードと、収容手段に原稿がセットされたことが検知された後、給紙開始信号が受信入力されると原稿持ち上げ手段を上昇させる第２の動作モードとのいずれかによって、原稿持ち上げ手段の動作を制御する技術が存在する（例えば、特許文献１参照）。
【０００４】
【特許文献１】特開平１１−２３７７７０号公報（第５−６頁、図４）
【発明の開示】
【発明が解決しようとする課題】
【０００５】
しかしながら、原稿収容部に原稿がセットされたことを原稿検知手段によって検知した後に直ちに原稿持ち上げ部材を上昇させる方式では、ユーザが原稿収容部に原稿をセットする際に、異なるサイズの原稿が混在している場合や原稿の分量が多い場合には、原稿のすべてを原稿収容部の正規位置にセットする時間的な余裕が無く、原稿を正規位置にセットできないこともあった。その場合には、給紙動作に不具合が生じることがあった。また、原稿持ち上げ部材が上昇している途中においては、原稿を継ぎ足して載置することを容易に行うこともできなかった。
その一方で、給紙開始信号を受信して原稿持ち上げ部材を上昇させる方式では、原稿持ち上げ部材は給紙開始信号を受信してから動作を開始するため、原稿が給紙可能な位置に達するまでに待ち時間が増え、画像形成装置に搭載した際にファーストコピー時間が遅くなるという問題があった。
【０００６】
なお、上記の特許文献１に記載された技術では、原稿持ち上げ手段の動作モードをユーザの使い勝手の良いほうに任意に予め選択することができるものではあるが、給紙開始信号が受信入力された後に原稿持ち上げ手段を上昇させるモードをユーザが選択した場合には、そのモードでの原稿持ち上げ動作が継続して実行されるため、常に給紙開始信号が受信入力されるのを待つこととなるため、不必要にファーストコピー時間が遅くなる場合があった。そのため、ユーザが給紙開始信号を受信してから動作を開始するモードを選択する必要がない場合には、収容手段に原稿がセットされたことが検知されると原稿持ち上げ手段を上昇させるモードに改めて変更する必要があり、ユーザにとって操作性が良いものとはいえなかった。
【０００７】
そこで本発明は、このような技術的課題に基づいてなされたものであり、その目的とするところは、画像形成装置におけるファーストコピー時間の遅延を抑制するとともに、原稿の載置時における操作性の向上を図ることができる原稿搬送装置を提供することにある。
【課題を解決するための手段】
【０００８】
かかる目的のもと、本発明の原稿搬送装置は、原稿を収容する原稿収容手段に原稿が載置されたことを原稿検知手段によって検知する。原稿収容手段に収容された原稿は原稿送り出し手段によって送り出されるが、原稿検知手段が原稿の載置を検知することで、原稿収容手段に載置された原稿を、原稿持ち上げ手段によって原稿送り出し手段に当接させることが可能である。そして、ホールド手段は原稿持ち上げ手段を停止状態に設定可能であるように構成されている。また、原稿持ち上げ手段は、ホールド手段による停止状態の設定がなされないこと、または停止状態の設定の解除により、原稿収容手段に載置された原稿を原稿送り出し手段に当接させることが可能となるように構成することもできる。
【０００９】
また、本発明の原稿搬送装置は、原稿を収容する原稿収容手段に収容された原稿を原稿送り出し手段によって送り出すが、原稿収容手段に原稿が載置されたことを検知して、直ちに、または所定時間の経過後に原稿を原稿持ち上げ手段によって原稿送り出し手段に当接させる。その際に、原稿持ち上げ手段は、停止状態に設定することが可能であるように構成されている。
【００１０】
さらに、本発明の原稿搬送装置は、原稿を収容する原稿収容トレイに原稿が載置されたことを原稿検知センサによって検知することができ、原稿収容トレイに収容された原稿を送り出す原稿送り出し部に対して、原稿収容トレイに載置された原稿のうち最上部の原稿が原稿送り出し部に当接するまで原稿収容トレイを原稿持ち上げ部によって移動させるが、この原稿持ち上げ部の動作はホールド部によって停止状態に設定できるように構成する。そして、原稿持ち上げ部は、原稿検知センサによる原稿の検知とホールド部による停止状態の非設定とにより原稿収容トレイを移動させることが可能となる。ここで、原稿送り出し部に対し原稿の送り出しを指示する送り出し入力部がさらに備えられ、この送り出し入力部からの入力によりホールド部による停止状態を解除することができる。また、原稿収容トレイにサイズの異なる原稿が混在して載置されるミックスモードを設定するミックスモード設定部がさらに備えられ、ホールド部はミックスモード設定部によるミックスモードの設定により原稿持ち上げ部の動作を停止状態に設定することも可能である。さらに、原稿持ち上げ部は、少なくとも原稿収容トレイに収容された原稿の送り出し方向先端部を移動させることを特徴とすることもできる。
【００１１】
また、本発明を画像読取装置として捉え、原稿持ち上げ手段が原稿を収容する原稿収容手段に原稿が載置されたことを検知して原稿を原稿送り出し手段に当接させ、原稿収容手段に収容された原稿を原稿送り出し手段によって送り出し、この送り出された原稿に記載された画像を画像読取手段によって読み取るが、その際に、原稿持ち上げ手段は、停止状態に設定することが可能であることを特徴としている。ここで、原稿収容手段は複数の異なる大きさの原稿を収容することが可能であり、原稿収容手段に異なる大きさの原稿が載置された際に、原稿持ち上げ手段は、停止状態に設定されることを特徴とすることができる。
【発明の効果】
【００１２】
本発明の効果として、原稿搬送装置において、画像形成装置のファーストコピー時間の遅延を抑制するとともに、原稿の載置時における操作性の向上を図ることが可能となった。
【発明を実施するための最良の形態】
【００１３】
以下、添付図面に示す実施の形態に基づいて本発明について詳細に説明する。
図１に示すものは、本実施の形態における原稿搬送装置１を説明する図である。この原稿搬送装置１は、例えば電子写真方式やインクジェット方式の複写機やファクシミリ等の画像形成装置に備えられた画像読取装置２に搭載される。
図１において、本実施の形態の原稿搬送装置１は、原稿Ｍが載置される原稿載置部１０、この原稿載置部１０にセットされた原稿Ｍを１枚ずつ給紙しながら画像読取部５０に搬送する給紙搬送部２０、画像読み取り後の原稿Ｍが排出される原稿排出トレイ３０、原稿搬送装置１および給紙搬送部２０の動作を制御する制御部４０を備えている。
【００１４】
原稿載置部１０は、原稿Ｍが載置され、載置された原稿Ｍの先端部（給紙搬送部２０側）を上下方向に移動可能に構成された可動部１１ａを備えた原稿収容手段の一例としての原稿収容トレイ１１、原稿収容トレイ１１に原稿がセットされたことを検出する原稿検知手段の一例としての原稿検知センサ１２、原稿収容トレイ１１の可動部１１ａを上下移動させる原稿持ち上げ手段の一例としての原稿持ち上げ機構部１３、原稿収容トレイ１１の可動部１１ａの上部位置に配置され、原稿収容トレイ１１に載置された最上部の原稿Ｍと当接してこの原稿Ｍを送り出す原稿送り出し手段の一例としてのナジャーロール１４、原稿収容トレイ１１の可動部１１ａのホームポジションを検知するボトムセンサ１５、原稿収容トレイ１１に載置された最上部の原稿Ｍの位置を検知するレベルセンサ１６で構成されている。
【００１５】
本発明の特徴である原稿持ち上げ機構部１３は、制御部４０からの制御により図示しないモータの駆動により原稿収容トレイ１１の可動部１１ａを上下移動させるが、原稿持ち上げ機構部１３には、原稿持ち上げ機構部１３の駆動を強制的に停止させておくホールド手段の一部を構成するホールドスイッチ１７が配設されている。ユーザはホールドスイッチ１７を操作することによって、原稿持ち上げ機構部１３の動作を停止させておくことができる。
【００１６】
次に、給紙搬送部２０には、原稿搬送経路Ｌ１に沿って、原稿載置部１０のナジャーロール１４から送り出された原稿Ｍを一枚ずつ搬送するフィードロール２１とリタードロール２２、フィードロール２１とリタードロール２２の下流側に配置されて原稿Ｍを搬送するテイクアウェイロール２３、２４、テイクアウェイロール２３、２４の下流側に配置されて、搬送される原稿Ｍを一旦せき止めることで原稿Ｍのスキュー（斜め送り）を除去するレジストロール２５、２６、原稿Ｍの画像を読み取る画像読取部５０、画像読み取り後の原稿Ｍを搬送するアウトロール２８、２９が配設されている。
【００１７】
ここで、画像読取部５０には、原稿Ｍの画像を読み取る際の読取基準部材としてのプラテンガラス５１が固定配置され、このプラテンガラス５１に対向してプラテンロール２７が配置されている。画像読取装置２に配設された画像読取ユニット６０は、プラテンガラス５１側から原稿Ｍに対して画像読取ビームＢｍを照射し、原稿Ｍからの反射光を受光して画像を読み取る。その際、原稿Ｍはプラテンロール２７によってプラテンガラス５１に押圧され、プラテンガラス５１に密着されながら搬送されるので、読み取り画像に対する焦点のずれが生じることはない。
【００１８】
そして、アウトロール２８、２９の下流側には、原稿Ｍを原稿排出トレイ３０に排出するための原稿排出経路Ｌ２が形成され、この原稿排出経路Ｌ２には、画像が読み取られた後の原稿Ｍを原稿排出トレイ３０に排出する排出ロール３１、３２が配設されている。
【００１９】
また、本実施の形態の原稿搬送装置１では、両面に画像が形成された原稿Ｍ（両面原稿）を読み取る場合において、両面の画像を１回のプロセスで読み取ることができるように、原稿反転経路Ｌ３が形成されている。この原稿反転経路Ｌ３は、アウトロール２８とテイクアウェイロール２３、２４との間に形成され、この原稿反転経路Ｌ３には、アウトロール２８に対向して反転ロール３３が設けられている。この場合、アウトロール２８と反転ロール３３とは画像読み取り後の原稿Ｍを原稿反転経路Ｌ３を経由して再度原稿搬送経路Ｌ１に搬送するように構成されている。
【００２０】
さらに、原稿Ｍが両面原稿であった場合に、原稿排出時に原稿Ｍを反転させて原稿排出トレイ３０に排出するための反転原稿排出経路Ｌ４が形成されている。この反転原稿排出経路Ｌ４は、原稿排出経路Ｌ２の上部側に形成されており、反転排出ロール３４、３５が配設されている。このように構成することによって、本実施の形態の原稿搬送装置１では、片面にのみ画像が形成されている原稿Ｍの片面画像読み取りを行う際も、両面に画像が形成されている原稿Ｍの両面画像読み取りを行う際も、画像読み取りが終了した原稿は、共に原稿載置部１０上にセットされた状態と表裏の関係が同じ順序で原稿排出トレイ３０に排出することができる。
【００２１】
次に、原稿搬送装置１の原稿載置部１０における動作を説明する。ユーザが原稿収容トレイ１１に原稿Ｍを載置すると、原稿検知センサ１２が原稿Ｍの載置を検出する。制御部４０は、原稿検知センサ１２から原稿Ｍの検出信号を受信すると、直ちに、または所定時間の経過後に原稿持ち上げ機構部１３の駆動を開始する。原稿持ち上げ機構部１３は、原稿収容トレイ１１の可動部１１ａを原稿が載置される際に位置するホームポジションからナジャーロール１４側へ持ち上げる。この持ち上げ動作により原稿Ｍの最上部はナジャーロール１４と接触するが、ナジャーロール１４と接触した後もさらにナジャーロール１４を持ち上げるようにして、持ち上げ動作を継続する。そして制御部４０は、レベルセンサ１６が原稿収容トレイ１１に載置された最上部の原稿Ｍが所定の給紙位置を到達したことを検出した時点で、原稿持ち上げ機構部１３の駆動を停止する。その後、ナジャーロール１４が回転して、原稿Ｍの送り出し（給紙）を開始する。
【００２２】
ナジャーロール１４が給紙を開始すると、原稿Ｍの減少により原稿収容トレイ１１に載置された原稿Ｍの最上部位置が少しずつ下がり、それに伴いナジャーロール１４の位置も下がっていく。そして、レベルセンサ１６が原稿収容トレイ１１に載置された最上部の原稿Ｍが所定の給紙位置から外れたことを検出した場合には、制御部４０は、再度原稿持ち上げ機構部１３の駆動を行って、原稿Ｍの最上部が所定の給紙位置に到達するように原稿収容トレイ１１の可動部１１ａを持ち上げる。この動作は、原稿Ｍの搬送がすべて完了するまで繰り返し行われる。
原稿Ｍの搬送がすべて完了し、原稿検知センサ１２が原稿収容トレイ１１上に原稿の存在を検出しない場合には、原稿収容トレイ１１の可動部１１ａはボトムセンサ１５がホームポジションを検知するまで下方に戻され、原稿Ｍが再度載置可能な初期状態に設定される。
このように原稿収容トレイ１１からすべての原稿が給紙され、給紙された原稿Ｍは、給紙搬送部２０に送られて、画像読取部５０において画像の読み取りを経た後、原稿排出トレイ３０に搬出されることとなる。
【００２３】
ところで、本実施の形態の原稿搬送装置１では、原稿持ち上げ機構部１３に、原稿持ち上げ機構部１３の駆動を強制的に停止させておくホールドスイッチ１７が配設され、ユーザはホールドスイッチ１７を操作することによって、原稿持ち上げ機構部１３の動作を停止させて待機状態に設定しておくことができるように構成されている点に特徴がある。
制御部４０は、ホールドスイッチ１７がオンされ、ホールドスイッチ１７からのホールド信号を受信した場合には、原稿持ち上げ機構部１３の駆動を強制的に停止させておく。すなわち、ホールドスイッチ１７がオンされた場合には、原稿収容トレイ１１に原稿Ｍが載置され、原稿検知センサ１２が原稿Ｍの載置を検出して、制御部４０が原稿検知センサ１２からの原稿Ｍの検出信号を受信した場合であっても、原稿持ち上げ機構部１３は駆動を開始せず、待機状態に設定される。ここで、制御部４０はホールド手段の一部として機能する。
【００２４】
したがって、ユーザはホールドスイッチ１７をオンに設定して原稿持ち上げ機構部１３を待機状態とすることによって、原稿収容トレイ１１に載置する原稿Ｍが、例えば大きさの異なるＡ４サイズとＢ５サイズとが混在したものであったような場合であっても、原稿Ｍを原稿収容トレイ１１の正規位置に余裕を持って載置することができるので、原稿Ｍが原稿収容トレイ１１の正規位置に載置することができないために給紙動作に不具合が生じて、給紙搬送部２０でジャムが生じたり、また、画像読取部５０での画像の読み込みが正常に行えないといった不都合の発生を抑制することができる。
また、原稿Ｍの分量が多く、一度で全ての原稿Ｍを原稿収容トレイ１１に載置することができない場合にも、ホールドスイッチ１７をオンに設定して原稿持ち上げ機構部１３を待機状態とすることによって、原稿Ｍを小分けにして載置することができる時間的余裕が生じるので、分量が多い原稿Ｍであってもすべての原稿Ｍを原稿収容トレイ１１の正規位置に正確に載置することができる。
【００２５】
原稿持ち上げ機構部１３の待機状態の解除は、ホールドスイッチ１７をオフに設定することによって実行される。ホールドスイッチ１７がオフされると、原稿持ち上げ機構部１３は、原稿収容トレイ１１の可動部１１ａを原稿が載置される際に位置するホームポジションからナジャーロール１４側へ持ち上げ、原稿収容トレイ１１に載置された最上部の原稿Ｍが所定の給紙位置を到達した時点で、ナジャーロール１４が回転して、原稿Ｍの送り出し（給紙）を開始する。その際には、ホールドスイッチ１７は、ナジャーロール１４に対して原稿Ｍの送り出しを指示する送り出し入力部として機能する。すなわち、送り出し入力部によるナジャーロール１４に対する原稿Ｍの送り出し指示によって、原稿持ち上げ機構部１３が駆動を開始する。
なお、原稿搬送装置１が搭載される画像形成装置の図示しないスタートボタンをオンすることにより、自動的に原稿持ち上げ機構部１３の待機状態を解除するように構成することもできる。すなわち、画像形成装置のスタートボタンのオンにより、自動的にホールドスイッチ１７がオフに設定されるように構成することも可能である。
【００２６】
ここで、制御部４０が行う原稿搬送装置１の動作制御について述べる。図２は、原稿搬送装置１における動作の流れを示すフローチャートの一例である。
図２に示すように、制御部４０は、まずホールドスイッチ１７がオンの状態にあるかどうかを判断する（Ｓ１０１）。ホールドスイッチ１７がオフの状態の場合には、制御部４０は通常設定の動作を行う。すなわち、原稿収容トレイ１１に原稿Ｍが載置されたか否かを判断して（Ｓ１０２）、原稿収容トレイ１１に原稿Ｍが載置されたことを検知した場合には、直ちに、または所定時間の経過後に原稿持ち上げ機構部１３の駆動が開始され、原稿収容トレイ１１の可動部１１ａが持ち上げられて原稿Ｍの送り出しを開始する（Ｓ１０５）。
【００２７】
一方、ステップＳ１０１において、ホールドスイッチ１７がオンの状態にあることを判断した場合には、原稿持ち上げ機構部１３は駆動を開始せず、待機状態に設定される。そして、原稿収容トレイ１１に原稿Ｍが載置されたか否かを判断し（Ｓ１０３）、制御部４０が原稿検知センサ１２からの原稿Ｍの検出信号を受信し、原稿収容トレイ１１に原稿Ｍが載置されたと判断された場合であっても、原稿持ち上げ機構部１３は駆動を開始しない。この状態で、ホールドスイッチ１７がオフに設定されるのを待つ（Ｓ１０４）。そして、ステップＳ１０４において、ホールドスイッチ１７がオフに設定されたことを検知した場合に、原稿持ち上げ機構部１３の駆動が開始され、原稿収容トレイ１１の可動部１１ａが持ち上げられて原稿Ｍの送り出しを開始する（Ｓ１０５）。
【００２８】
なお、ステップＳ１０４においては、ホールドスイッチ１７がオフに設定されるのを待つほか、原稿搬送装置１が搭載される画像形成装置のスタートボタンがオンに設定されるのを待つように構成することも可能である。ここでは、画像形成装置のスタートボタンは、ナジャーロール１４に対して原稿Ｍの送り出しを指示する送り出し入力部として機能する。
また、ステップＳ１０４においては、ホールドスイッチ１７がオフに設定されるか、または画像形成装置のスタートボタンがオンに設定されるかのいずれかを待つように構成することもできる。
【００２９】
また、本実施の形態の原稿搬送装置１が搭載される画像読取装置２では、原稿収容トレイ１１に載置する原稿Ｍが、大きさの異なる原稿Ｍが混在したものである場合に、図示しない操作入力部からミックスモードとして設定することができるように構成することもできる。すなわち、ミックスモードが設定された場合には、画像読取装置２を備えた画像形成装置では、画像読取ユニット６０からの出力から原稿Ｍのサイズを検知して、原稿Ｍのサイズに応じたサイズの用紙を図示しない用紙トレイから選択して画像形成を行うことができる。ここで、操作入力部は、ミックスモード設定部として機能する。
このような構成において、ミックスモードが設定された場合には、制御部４０は自動的にホールドスイッチ１７をオンに設定して、原稿持ち上げ機構部１３を待機状態とするように構成することもできる。
【００３０】
かかる構成における、制御部４０が行う原稿搬送装置１の動作制御について述べる。図３は、原稿搬送装置１における動作の流れを示すフローチャートの一例である。
図３に示すように、制御部４０は、まず画像読取装置２においてミックスモードが設定されているかどうかを判断する（Ｓ２０１）。ミックスモードが設定されていない場合には、次にホールドスイッチ１７がオンの状態にあるかどうかを判断する（Ｓ２０２）。ホールドスイッチ１７がオフの状態の場合には、制御部４０は通常設定の動作を行う。すなわち、原稿収容トレイ１１に原稿Ｍが載置されたか否かを判断して（Ｓ２０３）、原稿収容トレイ１１に原稿Ｍが載置されたことを検知した場合には、直ちに、または所定時間の経過後に原稿持ち上げ機構部１３の駆動が開始され、原稿収容トレイ１１の可動部１１ａが持ち上げられて原稿Ｍの送り出しを開始する（Ｓ２０６）。
【００３１】
一方、ステップＳ２０１において、ミックスモードが設定されていると判断した場合には、ホールドスイッチ１７を自動的にオンの状態に設定し、原稿持ち上げ機構部１３の駆動を開始せず、待機状態に設定する。そして、原稿収容トレイ１１に原稿Ｍが載置されたか否かを判断し（Ｓ２０４）、制御部４０が原稿検知センサ１２からの原稿Ｍの検出信号を受信し、原稿収容トレイ１１に原稿Ｍが載置されたと判断された場合であっても、原稿持ち上げ機構部１３は駆動を開始しない。この状態で、画像読取装置２のスタートボタンがオンに設定されるのを待つ（Ｓ２０５）。そして、ステップＳ２０５において、画像読取装置２のスタートボタンがオンに設定されたことを検知した場合に、原稿持ち上げ機構部１３の駆動が開始され、原稿収容トレイ１１の可動部１１ａが持ち上げられて原稿Ｍの送り出しを開始する（Ｓ２０６）。
【００３２】
このように、本実施の形態の原稿搬送装置１によれば、通常設定では、原稿収容トレイ１１に原稿Ｍが載置されると、直ちに、または所定時間の経過後に原稿持ち上げ機構部１３の駆動が開始され、原稿収容トレイ１１の可動部１１ａが持ち上げられて原稿Ｍの送り出し（給紙）を開始するので、原稿を原稿収容トレイ１１に載置してから原稿搬送装置１が搭載される画像形成装置がプリントを開始するまでのファーストコピー時間を短く設定することができ、迅速な画像形成を実現することが可能となる。一方、例えば、大きさの異なる原稿が混在したものであったような場合や、原稿Ｍの分量が多い場合のように、原稿Ｍを一度に原稿収容トレイ１１の正規位置に載置することができない場合であっても、原稿Ｍを原稿収容トレイ１１の正規位置に載置する時間的な余裕を持つことができる。これによって、原稿Ｍを原稿収容トレイ１１の正規位置に載置することができないために給紙動作に不具合が生じて、給紙搬送部２０でジャムが発生したり、また、画像読取部５０での画像の読み込みが正常に行えないといった不都合の発生を抑制することができる。
【００３３】
なお、本実施の形態の原稿搬送装置１では、制御部４０を原稿搬送装置１に配設したが、制御部４０を画像読取装置２または画像読取装置２が備えられた画像形成装置に配設して、これらの制御部４０と一体となって原稿搬送装置１および給紙搬送部２０の動作を制御することもできる。
【産業上の利用可能性】
【００３４】
本発明の活用例として、複写機、スキャナ、ファクシミリ等の原稿読取部への適用がある。
【図面の簡単な説明】
【００３５】
【図１】本実施の形態における原稿搬送装置を説明する図である。
【図２】原稿搬送装置における動作の流れを示すフローチャートの一例である。
【図３】原稿搬送装置における動作の流れを示すフローチャートの一例である。
【符号の説明】
【００３６】
１…原稿搬送装置、２…画像読取装置、１０…原稿載置部、１１…原稿収容トレイ、１１ａ…可動部、１２…原稿検知センサ、１３…原稿持ち上げ機構部、１４…ナジャーロール、１５…ボトムセンサ、１６…レベルセンサ、１７…ホールドスイッチ、２０…給紙搬送部、３０…原稿排出トレイ、４０…制御部、５０…画像読取部、５１…プラテンガラス、６０…画像読取ユニット、Ｍ…原稿
【図１】
2005112558.tif 000003
【図２】
2005112558.tif 000004
【図３】
2005112558.tif 000005